(57)【要約】【課題】便座取付け部から取り外した便座本体を便座本体の前部を下にすると共に後部を上にした状態で安定して起立させることができ、且つ便座本体の後端部や、便座取付け部の清掃を効率良く行うことができ、しかも通常使用する際には支障なく利用できる便座を提供する。【解決手段】前部が平面視略円弧状に湾曲した便座本体６を形成する。便座本体６の後端部に便器５の後部上面に設けた便座取付け部に回動自在且つ着脱自在に取付けられるヒンジ部を形成する。便座本体６の前部の裏面両側部に平面視便座本体６の外側に出入自在となった脚８、８を取付ける。前記両脚８、８の全部が便座本体６の裏面側に収納される脚収納位置と、両脚８、８の前端が便座本体６前端の接線ａ上もしくは該接線ａよりも前方に位置する脚出し位置とで両脚８、８を保持する保持手段を便座本体６の裏面に設ける。【選択図】        図１
2004321333.tif 000002
【特許請求の範囲】
【請求項１】
前部が平面視略円弧状に湾曲した便座本体を形成し、便座本体の後端部に便器の後部上面に設けた便座取付け部に回動自在且つ着脱自在に取付けられるヒンジ部を形成し、便座本体の前部の裏面両側部に平面視において便座本体の外側に出入自在となった脚を取付け、前記両脚の全部が便座本体の裏面側に収納される脚収納位置と、両脚の前端が便座本体前端の接線上もしくは該接線よりも前方に位置する脚出し位置とで両脚を保持する保持手段を便座本体の裏面に設けてなることを特徴とする便座。
【請求項２】
上記便座本体の前部裏面の両側部に下方に突出する固定軸を設け、上記両脚を夫々各固定軸に回動自在に取り付け、便座本体の前部裏面の両側部に、脚収納位置まで回動した各脚に当接し各脚を脚収納位置で保持すると共に、脚出し位置まで回動した各脚に当接し各脚を脚出し位置で保持するストッパを設け、両ストッパを上記保持手段としてなることを特徴とする請求項１記載の便座。
【請求項３】
上記脚出し位置に保持した両脚の前端面部を滑り止め部材にて構成してなることを特徴とする請求項１記載の便座。
【発明の詳細な説明】
【０００１】
【発明の属する技術分野】
本発明は、便座に関するものであり、詳しくは便座取付け部である装置本体に着脱自在且つ回動自在に取付けられる暖房便座に関するものである。
【０００２】
【従来の技術】
従来から、前部が平面視略円弧状に湾曲した便座本体を形成し、該便座本体の後端部に便器の上面後部に設けた温水洗浄便座装置の装置本体に回動自在且つ着脱自在に取付けられるヒンジ部を形成してなる便座が知られている（例えば特許文献１）。
【０００３】
この種の便座を取付けた温水洗浄便座装置は、便座本体の後端部と便座取付け部との間に小便が入り込むなどして装置本体等が汚れてしまうことが多々あるのだが、この汚れた部分は、便座本体が邪魔になって装置本体に便座を取り付けたままで清掃することが困難である。そこでこの部分を清掃する場合には、前記着脱自在に取付けられた便座を装置本体から取り外した後、便座を床に起立させて載置して装置本体等の清掃を行っていた。ここで便座を起立させた状態で床に載置するのは便座を水平にした状態で床に載置することは狭いトイレ内では実質的に不可能であるからである。
【０００４】
しかしながら上記便座本体は前述したように前部が略円弧状に湾曲しており、また後端部にはヒンジ部が形成されているため、便座を起立させた状態で安定して床に載置することができず、このため清掃者は便座が転がってしまうことを防止するために便座を手でおさえながら装置本体等を清掃しなければならず、掃除の妨げとなっていた。また特に便座を便座本体の前部を上にすると共に後部を下にして起立させた場合、便座本体の後端部に形成されたヒンジ部が床と接触して破損することもあった。また、上記便座が便座本体に暖房用ヒータを内装した暖房便座の場合、装置本体と便座本体の後端部とは便座本体に内装した暖房用ヒータと装置本体とを電気的に接続する短いフレキシブルな電気配線によって接続されており、この短い電気配線により清掃時に便座を取り外した際には便座本体の前部を下にすると共に後部を上にした状態でしか起立させることかできず、このように起立させた状態の便座は上記同様便座本体の前部が略円弧状に湾曲していることから安定して床に載置することができず、結果、便座が転がって便座が装置本体に接続された電気配線に吊り下げられてしまい、電気配線が切断されるといった問題が生じていた。
【０００５】
【特許文献１】
特開平１１−１７２７４０号公報
【０００６】
【発明が解決しようとする課題】
本発明は上記の点に鑑みてなされたものであり、その目的とするところは、便座取付け部から取り外した便座本体を便座本体の前部を下にすると共に後部を上にした状態で安定して起立させることができ、且つ便座取付け部の清掃を容易に行うことができる便座を提供することを課題とするものである。
【０００７】
【課題を解決するための手段】
上記課題を解決するために本発明に係る便座は、前部が平面視略円弧状に湾曲した便座本体６を形成し、便座本体６の後端部に便器５の後部上面に設けた便座取付け部に回動自在且つ着脱自在に取付けられるヒンジ部を形成し、便座本体６の前部の裏面両側部に平面視において便座本体６の外側に出入自在となった脚８、８を取付け、前記両脚８、８の全部が便座本体６の裏面側に収納される脚収納位置と、両脚８、８の前端が便座本体６前端の接線ａ上もしくは該接線ａよりも前方に位置する脚出し位置とで両脚８、８を保持する保持手段を便座本体６の裏面に設けてなることを特徴とするものである。
【０００８】
このように前部が平面視略円弧状に湾曲した便座本体６を形成し、便座本体６の後端部に便器５の後部上面に設けた便座取付け部に回動自在且つ着脱自在に取付けられるヒンジ部を形成し、便座本体６の前部の裏面両側部に平面視便座３の外側に出入自在となった脚８、８を取付け、前記両脚８、８の全部が便座本体６の裏面側に収納される脚収納位置と、両脚８、８の前端が便座本体６前端の接線ａ上もしくは該接線ａよりも前方に位置する脚出し位置とで両脚８、８を保持する保持手段を便座本体６の裏面に設けることで、便座取付け部等の清掃を行う場合、両脚８、８を脚出し位置に出して保持手段により保持し、これら脚出し位置に保持された両脚８、８をトイレの床９に載置することができ、これによって便座３を便座本体６の前部を下にすると共に後部を上にした状態で安定して床９に起立させることができる。また、両脚８、８は脚収納位置に収納することができ、通常使用時には両脚８、８が邪魔にならず、支障なく用を足せる。
【０００９】
また請求項２記載の便座は請求項１記載の便座において、上記便座本体６の前部裏面の両側部に下方に突出する固定軸２３を設け、上記両脚８、８を夫々各固定軸２３、２３に回動自在に取り付け、便座本体６の前部裏面の両側部に、脚収納位置まで回動した各脚８、８に当接し各脚８、８を脚収納位置で保持すると共に、脚出し位置まで回動した各脚８、８に当接し各脚８、８を脚出し位置で保持するストッパ２５を設け、両ストッパ２５、２５を上記保持手段としてなることを特徴とするものである。
【００１０】
このように便座本体６の前部裏面の両側部に下方に突出する固定軸２３を設け、上記両脚８、８を夫々各固定軸２３、２３に回動自在に取り付け、便座本体６の前部裏面の両側部に、脚収納位置まで回動した各脚８、８に当接し各脚８、８を脚収納位置で保持すると共に、脚出し位置まで回動した各脚８、８に当接し各脚８、８を脚出し位置で保持するストッパ２５を設け、両ストッパ２５、２５を上記保持手段とすることで、脚８、８及び保持手段を簡単な構成により形成できる。
【００１１】
また請求項３記載の便座は請求項１又は請求項２記載の便座において、上記脚出し位置に保持した両脚８、８の前端面部を滑り止め部材１０にて構成してなることを特徴とするものである。
【００１２】
このように上記脚出し位置に保持した両脚８、８の前端面部を滑り止め部材１０にて構成することで、両脚８、８がトイレの床９に対して滑り難くなる。
【００１３】
【発明の実施の形態】
以下、本発明を添付図面に示す実施形態に基づいて説明する。なお、本例では便座本体６のヒンジ部が取付けられる便座取付け部を温水洗浄便座装置１の主体を構成する装置本体２としたが、便座取付け部としてはこれに限定されるものではない。また以下の説明に用いられる方向は、特に指定する場合を除いて、装置本体２に便座３及び便蓋４を取付け、且つ便座３及び便蓋４を閉止状態とした時のものとする。
【００１４】
図２の１は人体の局部を温水で洗浄するための洗浄機構を備えた温水洗浄便座装置である。温水洗浄便座装置１は便器５の後部上面に設けた便座取付け部としての装置本体２と、装置本体２に回動自在且つ着脱自在に取付けられる本発明の便座３と、同じく装置本体２に回動自在且つ着脱自在に取付けられる便蓋４とからなる。なお、図２中、１１は装置本体２の一側面側に設けた操作部、１２は電源から装置本体２に電力を供給する電源線である。
【００１５】
装置本体２の表面前部の中央部には前方及び上方に開口する凹所１３を形成している。凹所１３の両側面には夫々後述の軸ピン１４の先端部を挿入可能な軸ピン用穴（図示せず）を形成しており、該軸ピン用穴に軸ピン１４の先端部を挿入することで例えば嵌め込み係止等によって軸ピン１４が空回りしないように着脱自在に取付可能となっている。図２中１５は給水管１６に連通する洗浄ノズルであって、使用時には該洗浄ノズル１５が前方に移動して人体の局部に向けて温水を噴射するようになっている。
【００１６】
図１、図２に示す便座３は、最後端部が幅狭部１８となった便座本体６で主体が構成されており、便座本体６は前部が平面視において前方に凸となるように略円弧状に湾曲している。便座本体６には便座本体６の表面部を暖房する暖房用ヒータ（図示せず）を内装しており、該暖房用ヒータには装置本体２から電力を供給したり、電気的制御を行うためのフレキシブルな電気配線１７を接続している。電気配線１７は図２に示すように便座本体６の後端部（幅狭部１８よりもやや前方）の一側面から外部に便座本体６が回動できる程度の長さ分導出されており、その導出端部は装置本体２に接続されている。なお本例では図１に示すように電気配線１７の導出端部に装置本体２に着脱自在に接続されるコネクタ１９を形成しているが、電気配線１７の導出端部には上記コネクタ１９を設けず、装置本体２に直接電気配線１７の導出端部を接続しても良いものとする。
【００１７】
上記便座本体６の後端部にはヒンジ部を形成している。本例ではこのヒンジ部を装置本体２の幅狭部１８の表面の両側端部に設けた立ち上げ部２０、２０としており、各立ち上げ部２０、２０には軸ピン１４、１４を挿通するための左右方向に貫通した軸ピン挿通孔（図示せず）が夫々形成されている。また便座本体６の裏面における前部の両側部及び後部の両側部には図１及び図４に示すようにその下面が便座本体６の最下端よりもやや下方に位置するように突出した支持脚２２（ゴム製）が夫々形成されている。支持脚２２は、便座本体６を閉止した状態において便器５の上面に載置されるものであって、便座本体６の最下端が便器５の上面よりもやや上方に位置するように便座本体６を浮いた位置に支持するものである。
【００１８】
上記便座本体６の前部裏面の両側部には図１等に示すように平面視における便座本体６の外側に出入自在となった脚８、８を取付けており、また便座本体６の裏面には、前記両脚８、８の全部が便座本体６の裏面側に収納される脚収納位置と、両脚８、８が外側に出て各脚８、８の前端が便座本体６前端の接線ａ上に位置する脚出し位置と、で両脚８、８を保持する保持手段を設けている。なお、脚出し位置は両脚８、８の前端が前記接線ａよりも前方に位置する箇所としても良いものとする。
【００１９】
具体的には便座本体６の前部（支持脚２２よりも前方）の裏面の両側部には下方に突出する固定軸２３が形成されており、各固定軸２３、２３の下面は、便座本体６の最下端よりも下方で且つ前述した支持脚２２の下面（便器５の上面）よりも上方に位置している。各固定軸２３の下端部は図１に示す板状の各脚８、８の一端部（脚出し位置に配置した各脚８、８の後端部に相当）に形成した上下方向に貫通する軸孔２４に挿通しており、固定軸２３に対して各脚８、８が水平面内で回動自在となるように取付けられている。各脚８、８の上面は便座本体６の最下端よりも下方に位置し且つ下面が便器５の上面よりも上方に位置しており、各脚８、８を回動させた際に便座３及び便器５に干渉しない位置に配されている。また各脚８、８の他端部側の端面（脚出し位置に配置した各脚８、８の前端面に相当）は平面視において便座本体６前端の接線ａと重複しており、この他端部側の端面部（脚出し位置に配置した各脚８、８の前端面部）はゴム製の滑り止め部材１０にて形成されている。
【００２０】
一方、便座本体６の前部裏面の両側部には夫々下方に突出するストッパ２５、２５が形成されており、本例では両ストッパ２５、２５を前述した保持手段としている。各ストッパ２５、２５は、その下面が便座本体６の最下端よりも下方で且つ前述した複数の支持脚２２の下面よりも上方に位置している。各ストッパ２５、２５は、便座本体６前端の接線ａと平行な脚収納位置保持片部２５ａと、該脚収納位置保持片部２５ａの左右方向における外側端部から前方に行く程外側方に位置するように斜め前方に突出した脚出し位置保持片部２５ｂとで一体に構成されている。すなわち脚収納位置保持片部２５ａは便座本体６前端の接線ａと平行になるように便座本体６の裏面側に回動させて各脚８、８の一方の側面（脚収納位置に配置した脚８、８の後面に相当）に当接するものであって、また脚出し位置保持片部２５ｂは便座本体６の平面視における外側に一端部側を除く部分を出すように回動させて他方の側面（脚出し位置に配置した脚８、８の外側面に相当）に当接するものである。しかして各脚８、８を図３の矢印イに示す方向に回動して前記各ストッパ２５、２５の脚収納位置保持片部２５ａ、２５ａに脚収納位置にある各脚８、８の後面を当接することで、各脚８、８を脚収納位置に保持でき（図３の破線）、また各脚８、８を矢印ロに示す方向に回動して前記各ストッパ２５、２５の脚出し位置保持片部２５ｂ、２５ｂに脚出し位置にある各脚８、８の外側面を当接することで、各脚８、８を前述した脚出し位置に保持できる（図３の実線）。なお、上記各脚８は通常使用時には前記保持手段により脚収納位置に保持されているものとする。
【００２１】
上記便座本体６の開口を覆う便蓋４は、その前部が平面視略円弧状に湾曲しており最後端部が細幅部２６となっている。便蓋４の周縁部は下方に突出しており、このうち細幅部２６の両側端部から下方に突出する周縁部には軸ピン１４を挿通するための左右方向に貫通した貫通孔（図示せず）が形成されている。
【００２２】
そして上記便座３と、便蓋４とを装置本体２に取付ける場合は、便座本体６の幅狭部１８及び便蓋４の細幅部２６を凹所１３内に配置し、便座本体６の各軸ピン挿通孔から軸ピン１４を挿通し、この軸ピン１４を便蓋４の貫通孔に挿通し、軸ピン１４の先端部を軸ピン用穴に挿入することで、便座３及び便蓋４を軸ピン１４を回動軸として回動自在に取付けることができ、同時に電気配線１７に設けたコネクタ１９を装置本体２に電気的に接続し、取付けが完了する。
【００２３】
そして上記便器５に取付けられた温水洗浄便座装置１を利用する場合は、便蓋４を起立させると共に便座３を閉止状態にし、便座３に着座して用を足す。ここで男性が小便をする場合は便座３及び便蓋４を起立させ、便器５の前方に立って用を足すのだが、この際、便座本体６の後端部と装置本体２の凹所１３との間に小便が入り込むなどして装置本体２や便座本体６の後端部等が汚れてしまうことがある。本例ではこのように便座本体６の装置本体２等が汚れてしまった場合は、例えば以下に示すように清掃を行う。
【００２４】
まず各軸ピン１４を装置本体２の軸ピン用穴、便座本体６の軸ピン挿通孔、便蓋４の貫通孔、から引き抜き、便座本体６の幅狭部１８及び便蓋４の細幅部２６を凹所１３内から取り出して、便座３及び便蓋４を装置本体２から取り外す。そして脚収納位置に保持された便座３の両脚８、８を回動させて保持手段により各脚８、８を脚出し位置に保持すると共に、便座本体６の後部を上にすると共に前部を下にした状態で便座本体６を起立させ、上記脚出し位置に保持された各脚８、８を床９に載置すると共に便座本体６の前端を床９に載置する（図１参照）。そしてこのように便座３及び便蓋４を装置本体２から取り外した状態で、装置本体２等の後端部の汚れた部分の清掃を行う。そして清掃を終えた後、前記脚出し位置に保持された各脚８、８を回動させて脚収納位置に保持し、前述と同様便座３及び便蓋４を装置本体２に取り付け、通常の使用状態に戻す。
【００２５】
このように前部が平面視略円弧状に湾曲した便座本体６を形成し、便座本体６の後端部に便器５の後部上面に設けた装置本体２に回動自在且つ着脱自在に取付けられるヒンジ部を形成し、便座本体６の前部の裏面両側部に平面視便座３の外側に出入自在となった脚８、８を取付け、前記両脚８、８の全部が便座本体３の裏面側に収納される脚収納位置と、両脚８、８の前端が便座本体３前端の接線ａ上もしくは該接線ａよりも前方に位置する脚出し位置とで両脚８、８を保持する保持手段を便座本体３の裏面に設けることで、便座本体６の後端部や便座取付け部の清掃を行う場合、両脚８、８を脚出し位置に出して保持手段により保持し、これら脚出し位置に保持された両脚８、８をトイレの床９に載置することができ、これによって便座３を便座本体６の前部を下にすると共に後部を上にした状態で安定して床９に起立させて載置することができ、装置本体２等の清掃を容易に行える。また、両脚８、８は脚収納位置に収納することができ、通常使用時には両脚８、８が邪魔にならず、支障なく用を足せる。また本例のように便座３が便座本体６に暖房用ヒータを内装した暖房便座であったとしても、装置本体２と便座本体６とを短い電気配線１７によって接続したまま上記のように便座３を便座本体６の前部を下にすると共に後部を上にした状態で安定して床９に載置して起立させることができ、従来のように便座３が転がって電気配線１７が切断される恐れがなくなる。また特に本例では脚出し位置を両脚８、８の前端が便座本体６前端の接線ａ上に位置する箇所としているため、便座３を便座本体６を便座本体６の前部を下にすると共に後部を上にした状態で起立させた際に、便座本体６の前端と、両脚８、８との３点で支持でき、より一層起立が安定する。
【００２６】
また本例では、上記脚出し位置に配置した両脚８、８の前端面部を滑り止め部材１０にて構成してあるので、各脚８、８がトイレの床９に対して滑り難くなり、結果より一層便座本体６を便座本体６の前部を下にすると共に後部を上にした状態で安定して起立させることが可能となる。
【００２７】
【発明の効果】
上記のように本発明の請求項１記載の発明にあっては、前部が平面視略円弧状に湾曲した便座本体を形成し、便座本体の後端部に便器の後部上面に設けた装置本体に回動自在且つ着脱自在に取付けられるヒンジ部を形成し、便座本体の前部の裏面両側部に平面視便座３の外側に出入自在となった脚を取付け、前記両脚の全部が便座本体の裏面側に収納される脚収納位置と、両脚の前端が便座本体前端の接線上もしくは該接線よりも前方に位置する脚出し位置とで両脚を保持する保持手段を便座本体の裏面に設けることで、便座本体の後端部や便座取付け部の清掃を行う場合、便座を便座本体の前部を下にすると共に後部を上にした状態で安定して床に載置して起立させることができ、装置本体等の清掃を容易に行える。また、両脚は脚収納位置に収納することができ、通常使用時には両脚が邪魔にならず、支障なく用を足せる。また特に便座が便座本体に暖房用ヒータを内装した暖房便座であった場合にも、装置本体と便座本体とを短い電気配線によって接続したまま上記のように便座を便座本体の前部を下にすると共に後部を上にした状態で安定して床に載置して起立させることができ、従来のように電気配線が切断される恐れがなくなる。
【００２８】
また請求項２記載の発明にあっては、上記請求項１記載の発明の効果に加えて、便座本体の前部裏面の両側部に下方に突出する固定軸を設け、上記両脚を夫々各固定軸に回動自在に取り付け、便座本体の前部裏面の両側部に、脚収納位置まで回動した各脚に当接し各脚を脚収納位置で保持すると共に、脚出し位置まで回動した各脚に当接し各脚を脚出し位置で保持するストッパを設け、両ストッパを上記保持手段とすることで、脚及び保持手段を簡単な構成により形成できる。
【００２９】
また請求項３記載の発明にあっては、上記請求項１又は請求項２記載の発明の効果に加えて、上記脚出し位置に配置した両脚の前端面部を滑り止め部材にて構成することで、両脚がトイレの床に対して滑り難くなり、結果より一層便座本体を便座本体の前部を下にすると共に後部を上にした状態で安定して起立させることが可能となる。
【図面の簡単な説明】
【図１】本発明の実施の形態の一例の便座を床に起立させた状態を示す正面図である。
【図２】同上の便座を取り付けてなる温水洗浄便座装置の斜視図である。
【図３】図１のＡ部拡大図である。
【図４】同上の要部拡大側面図である。
【符号の説明】
１  温水洗浄便座装置
ａ  接線
５  便器
６  便座本体
８  脚
９  床
１０  滑り止め部材
２３  固定軸
２５  ストッパ
【図１】
2004321333.tif 000003
【図２】
2004321333.tif 000004
【図３】
2004321333.tif 000005
【図４】
2004321333.tif 000006